(57)【要約】      （修正有）【課題】従来の家庭用洗浄機では、洗うのに時間がかかり大人数には対応し難い。業務用洗浄機では、口紅、茶渋等の落ち難い汚れや透明なグラスなどには乾燥後のカルキ等の白い斑点が残った。さらに機械自体が大きくて高価な物であり、設置場所に困る場合もある。【解決手段】モーター動力機より配設するグラス洗浄ブラシ２本１０，２９と、グラス破片飛散防止フードを設け、モーター動力機と格子状ツバ付容器に除菌剤容器を取り付けて、グラス洗浄ブラシ２本を回転させ、グラスの口の部分を上向きに格子状ツバ付容器除菌剤容器に入れ、洗剤を吹き付けながら２本のグラス洗浄ブラシを回転させ、グラスの外側と内側と底裏を洗う。上述の洗浄機は、一度にグラス１個を洗うものであるが、３本ブラシ洗浄機は、同時に２個グラスを洗える。除菌洗剤と洗剤を変えることで、口紅、茶渋などを短時間で洗え、設置場所を選ばず、持ち運びに便利なグラス洗浄機を提供できる。【選択図】図１
2006034935.tif 000002
【特許請求の範囲】
【請求項１】
モーター動力室より配設するグラス洗浄ブラシ（洗浄ブラシの形状は限定せず）２本と、グラスの破片を飛散防止するフード（上記をまとめてグラス破片飛散防止フードに名称）を設け、電気グラス洗浄機本体と格子状の容器（隙間の形状は限定せず）破片で怪我を防止するツバの付いた容器にグラスの口を上向きに入れ、この容器に除菌剤容器を取り付け（上記をまとめて格子状破片防止ツバ付除菌剤容器に名称）、グラスの破片の飛散防止するフード内の２本のグラス洗浄ブラシの内の伸縮する方のグラス洗浄ブラシに、グラスを入れた格子状破片防止ツバ付除菌剤容器を下方向から上方向に入れ、除菌洗剤を吹き付けながら２本のグラス洗浄ブラシを回転させ、ブラシとグラスの摩擦によりグラスを回転させ、グラスの外側と内側と底裏を洗うようにした小型電気グラス洗浄機。
【請求項２】
通常の流し台での作業の邪魔にならないように流し台の周囲及び角に、小型電気グラス洗浄機  の足部（形状は限定せず）の裏に取り付けている強力粘着剤と磁石との併用で、簡単に取り付け、竹ベラ等で取り外しが出来る足部。
【請求項３】
２本のグラス洗浄ブラシは、ワイングラス、サワーグラス等の足の細い部分を洗浄できる様な毛の長さの洗浄ブラシ。
【請求項４】
２本のグラス洗浄ブラシの内、グラスの内側を洗うグラス洗浄ブラシはグラスを入れる力により、回転軸内のコイルスプリング（伸縮する形状は限定せず）が伸縮することによって、多様形態のグラスを洗浄できる洗浄ブラシ。
【請求項５】
２本のグラス洗浄とグラスの破片を飛散防止するフードは上下１８０度に折れ曲がり（折れ曲がる器具は限定せず）、共に他の作業の邪魔にならないように小型電気グラス洗浄機本体側に収納できる。
【請求項６】
格子状破片防止ツバ付除菌剤容器のグラス入れの底面には、グラス底面の裏を洗う芝生状のブラシが付いている。
【請求項７】
格子状破片防止ツバ付容器のグラスを入れる口径は、グラス等の口径によりツバの裏側に取り付けたレバーにより手で簡単に広げたり狭めたりできる。
【請求項８】
格子状破片防止ツバ付除菌剤容器は、格子状破片防止ツバ迄の部分とネジで除菌剤容器を切り離し、洗剤を取り替える事ができ、除菌剤容器に手で圧力を加えて除菌剤容器内のホースノズルが格子状の所まで伸びていて、洗剤をグラス洗浄ブラシにかけて茶渋などの汚れを洗うホースノズル付除菌剤容器。
【請求項９】
２方面の壁に面して狭い場所に設置してある流し台には、モーター動力機を上下１８０度回転させ、長足取付器具で流し台の上部に取り付け、他の作業の邪魔にならないようにする長足取付器具。
【請求項１０】
グラスの内側を洗うグラス洗浄ブラシの軸と、伸縮する為のコイルスプリングを数本の細長い支え金具（回転動力を伝え、伸縮する形状は限定せず）で覆い、回転動力を洗浄ブラシに伝える金具。
【請求項１１】
請求項１〜１０と基本的な構造は同じであるが、モーター動力室より配設する伸縮するグラス洗浄ブラシ２本と、グラスの外側を洗う伸縮しないグラス洗浄ブラシ１本とを、三角状に接続してブラシ３本用のグラス破片飛散防止フードを取り付け、２口格子状破片防止ツバ付除菌剤容器に１度にグラス２個を入れ同時に洗えるようにし、３本の内の伸縮しないグラス洗浄ブラシがフレキシブルシャフトかホールスプリング等請求項５の折れ金具（折れ金具の形状は限定せず）との併用で、ブラシ３本用グラス破片飛散防止フードと共に３本のグラス洗浄ブラシが共に折れ曲がり収納できる３本ブラシグラス洗浄機。
【発明の詳細な説明】
【技術分野】
【０００１】  本発明は、一般家庭及び飲食店、ホテル、スナック等の洗い物の省力化に関する。
【背景技術】
【０００２】  従来の家庭用洗浄機、業務用洗浄機には、一度に沢山のグラスを洗う洗浄機もある。以下従来の家庭用洗浄機、業務用洗浄機について説明する。グラスを下向きにラックに入れ、貯めたお湯に洗剤を入れ、吹きかけて洗い、洗い終わると綺麗な熱湯をかけて濯ぐという物である。
【発明が解決しようとする課題】
【０００３】  以上に述べた従来の洗浄機では、家庭用では洗う時間がかかり、大人数の家族、来客には対応し難い。業務用洗浄機では、口紅、茶渋等の落ち難い汚れや、透明なグラスなどには乾燥後のカルキ等の白い斑点が残った。さらに機械自体が大きくて高価な物であり、設置場所に困る場合もある。
【０００４】  本発明は、このような従来の洗浄機が有していた問題点を除菌洗剤使用により清潔、安価、小型軽量で、短時間で洗え、設置場所を選ばず持ち運び便利な構造のものである。
【課題を解決するための手段】
【０００５】  モーター動力機より配設するグラス洗浄ブラシ２本と、グラスの破片を飛散防止するフードを設け、モーター動力機と格子状ツバ付容器に除菌剤容器を取り付けたものを用い、グラス洗浄ブラシ２本を回転させ、グラスの口の部分を上向きに格子状ツバ付容器に入れ、除菌剤容器を取り付け、グラスの破片の飛散防止するフード内の伸縮する側のグラス洗浄ブラシに、グラスを入れた格子状ツバ付容器を下方向から入れ、除菌洗剤を吹き付けながら２本のグラス洗浄ブラシを回転させ、グラス洗浄ブラシとグラスとの摩擦によりグラスを回転させて、グラスの外側と内側と底裏を洗える。上述の洗浄機は、一度にグラス１個を洗うものであるが、３本ブラシ洗浄機は、一度に２個同時にグラスを洗える２本ブラシグラス洗浄機と３本ブラシ洗浄機。
【発明の効果】
【０００６】  上記に述べたように、本発明は、除菌洗剤を使用する事により、清潔で安価、小型、軽量、短時間で洗え、設置場所を選ばず、持ち運びに便利、口紅、斑点、汚れ、茶渋は洗剤を変えることにより数秒で落とせるグラス洗浄機を提供できる。
【発明の実施するための最良の形態】
【０００７】  以下、本発明の実施の形態を図１〜図１５に基づいて説明する。
【０００８】  図においては、図８のモーター動力機より５０の動力伝達ソケットを通じて１０，２９のグラス洗浄ブラシに回転動力を伝達している４１，４２の回転方向は限定せず回転速度は低速か中速に設定。
【０００９】  図４のグラス破片飛散防止フード（形状は限定せず）は、万一、グラス洗浄ブラシが回転中にグラスが割れたり、破片が飛散したり、除菌剤の飛び散りを防ぐ為の安全のため設けたものであり、割れた破片等は５３の開口部より水槽に落ちる。
【００１０】  図５の格子状破片防止ツバ付除菌剤容器に、３１のようにグラスの口を上向きに入れたグラスを図４のグラス破片飛散防止フードの下部の２０の開口部より４０の矢印の方向に下方向から上方向に図５の格子状破片防止ツバ付除菌剤容器を入れ、３３の格子状の隙間よりグラス洗浄ブラシの毛３０と１０の毛が当たる事によりグラスが回転してグラスが洗え、グラスの内側は１０のグラス洗浄ブラシが洗い、グラスの外側は２９のグラス洗浄ブラシがあらい、グラスの底の裏側は５１の芝生状ブラシで洗う。
【００１１】  図６の格子状破片防止ツバ付のツバは、図４のグラス破片飛散防止フード内で、万一、グラスが割れたりした場合の手への怪我防止のツバである。
【００１２】  図７の除菌剤容器は、グラスを洗う場合の除菌剤を３８のように入れ、グラス洗浄の際に、３９から１３にホースノズルで固定し２１の場所を手で圧力をかけ、３９から１３にかけて除菌剤を１０，２９のグラス洗浄ブラシに噴射してグラスを除菌洗浄する。
【００１３】１０のグラス洗浄ブラシは、洗うグラスの種類により（例、カクテルグラス等）、８のコイルスプリングと７の回転動力を伝える数本の細長い支え金具でグラスの足の長さ分伸縮する。この部分の拡大図は、図３にて参照。グラス洗浄ブラシのコイルスプリングにて伸びた状態の長さは２本とも同じ長さである。
【００１４】  図９の長足取付器具は、図２のように２方面壁に面して狭い場所に設置してある流し台等に、場所をとらずに有効に設置できる。設置例、モーター動力機を４３，４６のように１８０度回転させて、４５長足取付器具に図２のように４４の矢印にネジ又はボルトで固定し、図４のグラス破片飛散防止フードの５３開口部を下にして、フードの中に図３の１０と２９のグラス洗浄ブラシを２０の開口部より入れ、図８のモーター動力機に、２９のグラス洗浄ブラシ右に、１０の伸縮するグラス洗浄ブラシは左に２５のナットで図２のように取り付け、図１の１６の磁石と強力粘着剤で流し台に接着する。
【００１５】  図１０の足取付器具は、図１のようにモーター動力機の５４のボルト部分が上になるように図１０の足取付器具を取り付ける。以下は上記に述べた取り付け方法と同じである。
【００１６】  ６は、グラス破片飛散防止フードの支え金具である。
【００１７】図１１の折れ金具は、グラスを洗う場合、回転で安易に折れ曲がらないようにグラス洗浄ブラシの支え金具の役割もしている。
【００１８】  図１２は、図２の設置の仕方によって、グラス破片飛散防止フードを収納した場合にできる流し台の空間を５３で表したものである。
【００１９】  図１３は家庭用流し台に図１を設置した全体図である。
【００２０】  図１４は、１０の２本の伸縮するグラス洗浄ブラシと、２９の１本の伸縮しないグラス洗浄ブラシを図１４のように配置する事と、格子状破片防止ツバ付除菌剤容器を図１５のようにグラスを２個入れることにより、グラス２個同時に洗えるようにした３本ブラシグラス洗浄機。
【００２１】  図１５は、格子状破片防止ツバ付除菌剤容器のグラスを入れる格子状容器を２個取り付けることにより、グラスを２個同時に洗えるようにした２個入り格子状破片防止ツバ付除菌剤容器。
【図面の簡単な説明】
【００２２】
【図１】本発明の実施形態を示す小型電気グラス洗浄機の部分断面図
【図２】同洗浄機の第２案の設置方法の部分断面図
【図３】同洗浄機のグラス洗浄ブラシの外観図
【図４】同洗浄機のグラス破片飛散防止フードの外観図
【図５】同洗浄機の格子状ツバ付容器と除菌剤容器の外観図
【図６】同洗浄機の格子状ツバ付容器の外観図
【図７】同洗浄機の除菌剤容器の外観図
【図８】同洗浄機のモーター動力機の部分断面図
【図９】同洗浄機の長足取付金具の外観図
【図１０】同洗浄機の足取付金具の外観図
【図１１】同洗浄機のグラス洗浄ブラシの折れ金具の外観図
【図１２】同洗浄機の設置後の流し台での利点を表した外観図
【図１３】同洗浄機の家庭用での利点を表した外観図
【図１４】同洗浄機の３本ブラシ洗浄機の部分断面図
【図１５】同洗浄機の２口格子状破片防止ツバ付除菌剤容器
【符号の説明】
【００２３】図１  １  動力スイッチ
２  熱換気口
３  フード調整口
３９  ホースノズルの除菌剤吸入口
４０  格子状破片防止ツバ付除菌剤容器の挿入方向
４１  グラス洗浄ブラシの回転方向
４２  グラス洗浄ブラシの回転方向
４３  長足取付器具でのモーター動力機取り付け方向矢印
４４  足取付金具、長足取付金具とモーター動力機を取り付けるボルト
４５  長足取付金具
４６  長足取付器具でのモーター動力機取り付け方向矢印
４７  動力伝達ソケット
４８  グラス洗浄ブラシ飛び出し防止突起
４９  グラス洗浄ブラシの伸縮する方向
５０  動力伝達弁
５１  グラスの底の裏側を洗う芝生状ブラシ
５２  グラスの破片、汚れ、除菌剤などを下側に落とす開口部
５３  長足取付器具での流し台の作業空間を表したもの
５４  ３本ブラシ用グラス破片飛散防止フード
５５  ２個入り格子状破片防止ツバ付容器
５６  フレキシブルシャフトかコイルスプリング
【図１】
2006034935.tif 000003
【図２】
2006034935.tif 000004
【図３】
2006034935.tif 000005
【図４】
2006034935.tif 000006
【図５】
2006034935.tif 000007
【図６】
2006034935.tif 000008
【図７】
2006034935.tif 000009
【図８】
2006034935.tif 000010
【図９】
2006034935.tif 000011
【図１０】
2006034935.tif 000012
【図１１】
2006034935.tif 000013
【図１２】
2006034935.tif 000014
【図１３】
2006034935.tif 000015
【図１４】
2006034935.tif 000016
【図１５】
2006034935.tif 000017